(57)【特許請求の範囲】
【請求項１】
複数の写真プリント発注者が操作する複数の発注者端末と、所定の配達エリアをそれぞれ有しており、写真プリントの作成及び配達を行う複数の事業者の事業所に設置された複数の事業者端末とが、通信ネットワークを介してサーバと通信可能であり、前記発注者端末が、写真プリント発注者の前記発注者端末への操作入力に従って、プリントを希望する画像データファイル、及び当該画像データファイルに係るプリント仕様情報を前記サーバに送信する写真プリントシステムであって、
前記発注者端末が、写真プリント発注者の前記発注者端末への操作入力に従って、配達先住所情報を前記サーバに送信し、
前記サーバが、前記複数の事業者の中から抽出された、前記発注者端末から受信した配達先住所情報に係る住所を配達エリアに含んでいる１又は複数の事業者に関する事業者情報を前記発注者端末に送信し、
前記発注者端末が、前記サーバにおいて複数の事業者が抽出された場合には、写真プリント発注者の前記発注者端末への操作入力に従って、当該複数の事業者の中から写真プリント発注者が選択した事業者の選択情報を前記サーバに送信し、
前記サーバにおいて１つの事業者が抽出された場合には、その抽出された事業者の前記事業者端末が、前記サーバにおいて複数の事業者が抽出された場合には、選択情報によって選択された前記事業者端末が前記サーバから当該画像データファイル、当該画像データファイルに係るプリント仕様情報、及び配達先住所情報を受信し、
当該画像データファイルに係るプリント仕様情報を受信した前記事業者端末において、当該プリント仕様でプリントすることができないプリント不能画像データファイルが存在する際に、前記事業者端末が、当該プリント不能画像データファイルを特定する情報を前記サーバに送信し、
前記サーバが、配達先住所を配達エリアに含んでいる事業者の前記事業者端末のうち、未だ当該画像データファイルに係るプリント仕様情報を受信していない前記事業者端末が存在する場合に、当該事業者端末にプリント不能画像データファイル、当該プリント不能画像データファイルに係るプリント仕様情報、及び配達先住所情報を送信することを特徴とする写真プリントシステム。
【請求項２】
前記サーバが、前記複数の事業者ごとに当該事業者が作成することができる写真プリントのプリント仕様を記憶するプリント仕様記憶手段を有しており、配達先住所を配達エリアに含んでいる事業者の前記事業者端末のうち、未だ当該画像データファイルに係るプリント仕様情報を受信しておらず、且つプリント不能画像データファイルに係るプリント仕様が前記プリント仕様記憶手段に記憶されている事業者端末にプリント不能画像データファイル、当該プリント不能画像データファイルに係るプリント仕様情報、及び配達先住所情報を送信することを特徴とする請求項１に記載の写真プリントシステム。
【請求項３】
通信ネットワークを介して前記サーバと通信可能であると共に、全てのプリント仕様の写真プリントを作成することができるプリント業者の事業所に設置されたプリント業者端末をさらに備えており、
前記サーバが、配達先住所を配達エリアに含んでいる事業者の前記事業者端末のうち、未だ当該画像データファイルに係るプリント仕様情報を受信していない前記事業者端末が存在しない場合に、前記プリント業者端末にプリント不能画像データファイル、当該プリント不能画像データファイルに係るプリント仕様情報、及び配達先住所情報を送信することを特徴とする請求項１または２に記載の写真プリントシステム。
【発明の詳細な説明】
【技術分野】
【０００１】
本発明は、写真プリント発注者によって通信ネットワークを介してサーバにアップロードされた画像データファイルに基づいて写真プリントを作成する写真プリントシステムに関する。
【背景技術】
【０００２】
近年、ディジタルカメラで撮影した画像やスキャナで読み込んだ画像等のデジタル画像データファイルのプリントを、インターネットを介して注文する写真プリントシステムが知られている（特許文献１参照）。
【０００３】
具体的には、写真プリント発注者は、インターネットに接続された自宅のパーソナルコンピュータ（以降、「パソコン」と称する）を操作して、プリントの注文を希望する画像データファイルを、写真プリントを作成する写真処理装置を備えたプリント店のサーバにアップロードする。プリント店では、写真に関する専門家であるオペレータによって、サーバにアップロードされた画像データファイルに対して好適な補正処理が行われた後、プリント処理が行われる。そして、発注者が写真プリントの配達を希望する場合には、配達専門の業者によって配達される。
【特許文献１】特開２００５−２０５７６１号公報
【発明の開示】
【発明が解決しようとする課題】
【０００４】
例えば、新聞販売店・酒屋・牛乳屋などの既存の配達システムを有している事業者が、上述のような写真プリントビジネスに取り組むことで、低コストで写真プリントの配達という付加的なサービスを行うことができる。上述のような新聞販売店等の事業者は、地域に密着しているので、写真プリント発注者は、安心して写真プリントの作成及び配達を依頼することができる。しかしながら、かかる事業者は写真プリントの作成が本業ではないので、用紙の在庫を大量に保管しておくことは困難である。したがって、注文を受けた写真プリントを作成するための用紙が在庫切れである場合がある。また、多種類の用紙やアルバム台紙等を用意しておくことも困難であり、発注者が所望するプリント仕様でプリントを作成することができない場合がある。かかる場合には、用紙等を取り寄せてから写真プリントを作成することとなるので、写真プリントの作成及び配達を迅速に行うことができない。
【０００５】
そこで、本発明の目的は、安心して写真プリントを発注することができると共に、写真プリントの作成及び配達を迅速に行うことができる写真プリントシステムを提供することである。
【課題を解決するための手段及び効果】
【０００６】
本発明の写真プリントシステムは、複数の写真プリント発注者が操作する複数の発注者端末と、所定の配達エリアをそれぞれ有しており、写真プリントの作成及び配達を行う複数の事業者の事業所に設置された複数の事業者端末とが、通信ネットワークを介してサーバと通信可能であり、前記発注者端末が、写真プリント発注者の前記発注者端末への操作入力に従って、プリントを希望する画像データファイル、及び当該画像データファイルに係るプリント仕様情報を前記サーバに送信する写真プリントシステムである。そして、前記発注者端末が、写真プリント発注者の前記発注者端末への操作入力に従って、配達先住所情報を前記サーバに送信し、前記サーバが、前記複数の事業者の中から抽出された、前記発注者端末から受信した配達先住所情報に係る住所を配達エリアに含んでいる１又は複数の事業者に関する事業者情報を前記発注者端末に送信し、前記発注者端末が、前記サーバにおいて複数の事業者が抽出された場合には、写真プリント発注者の前記発注者端末への操作入力に従って、当該複数の事業者の中から写真プリント発注者が選択した事業者の選択情報を前記サーバに送信し、前記サーバにおいて１つの事業者が抽出された場合には、その抽出された事業者の前記事業者端末が、前記サーバにおいて複数の事業者が抽出された場合には、選択情報によって選択された前記事業者端末が前記サーバから当該画像データファイル、当該画像データファイルに係るプリント仕様情報、及び配達先住所情報を受信し、当該画像データファイルに係るプリント仕様情報を受信した前記事業者端末において、当該プリント仕様でプリントすることができないプリント不能画像データファイルが存在する際に、前記事業者端末が、当該プリント不能画像データファイルを特定する情報を前記サーバに送信し、前記サーバが、配達先住所を配達エリアに含んでいる事業者の前記事業者端末のうち、未だ当該画像データファイルに係るプリント仕様情報を受信していない前記事業者端末が存在する場合に、当該事業者端末にプリント不能画像データファイル、当該プリント不能画像データファイルに係るプリント仕様情報、及び配達先住所情報を送信する。
【０００７】
なお、本発明における「プリント仕様」とは、例えば、プリントサイズ、アルバム仕上げ、はがきやシールへのプリント等を意味している。また、本発明において、事業者端末がサーバから画像データファイルを受信するタイミング、プリント仕様情報を受信するタイミング、及び配達先住所情報を受信するタイミングは、それぞれ同時である必要はない。同様に、事業者端末またはプリント業者端末が、サーバからプリント不能画像データファイルを受信するタイミング、プリント不能画像データファイルに係るプリント仕様情報を受信するタイミング、及び配達先住所情報を受信するタイミングは、それぞれ同時である必要はない。
【０００８】
この構成によると、発注者は、配達先住所を配達エリアに含んでおり、その地域に密着している事業者に写真プリントの作成及び配達を依頼することとなるので、安心して写真プリントの注文を行うことができる。また、発注者が希望するプリント仕様でプリントするためのプリント媒体が在庫切れである等の理由によりプリントを作成することができないプリント不能画像データファイルが存在する場合でも、当該プリント不能画像データファイルは、配達先住所を配達エリアに含んでいる他の事業者端末に送信される。したがって、プリントの作成及び配達を迅速に行うことができる。
【０００９】
本発明の写真プリントシステムでは、前記サーバが、前記複数の事業者ごとに当該事業者が作成することができる写真プリントのプリント仕様を記憶するプリント仕様記憶手段を有しており、配達先住所を配達エリアに含んでいる事業者の前記事業者端末のうち、未だ当該画像データファイルに係るプリント仕様情報を受信しておらず、且つプリント不能画像データファイルに係るプリント仕様が前記プリント仕様記憶手段に記憶されている事業者端末にプリント不能画像データファイル、当該プリント不能画像データファイルに係るプリント仕様情報、及び配達先住所情報を送信してもよい。
【００１０】
この構成によると、サーバから送信されるプリント不能画像データファイルに係るプリント仕様でプリントすることができる事業者の事業者端末にのみプリント不能画像データファイル等が送信される。したがって、サーバが無駄にプリント不能画像データファイルを送信することがないので、サーバの負担を軽減することができる。
【００１１】
本発明の写真プリントシステムは、通信ネットワークを介して前記サーバと通信可能であると共に、全てのプリント仕様の写真プリントを作成することができるプリント業者の事業所に設置されたプリント業者端末をさらに備えており、前記サーバが、配達先住所を配達エリアに含んでいる事業者の前記事業者端末のうち、未だ当該画像データファイルに係るプリント仕様情報を受信していない前記事業者端末が存在しない場合に、前記プリント業者端末にプリント不能画像データファイル、当該プリント不能画像データファイルに係るプリント仕様情報、及び配達先住所情報を送信することが好ましい。
【００１２】
この構成によると、配達先住所を配達エリアに含んでいる事業者の事業者端末のうち、未だ当該画像データファイルに係るプリント仕様情報を受信していない事業者端末が存在しない場合、すなわち、配達先住所を配達エリアに含んでいる全ての事業者でプリントすることができないプリント仕様のプリント不能画像データファイルが存在する場合でも、プリント業者端末でプリントすることができる。
【発明を実施するための最良の形態】
【００１３】
以下、本発明の好適な一実施の形態について、図面を参照しつつ説明する。図１は、本実施の形態に係る写真プリントシステムの概略構成を示す図である。
【００１４】
本実施の形態の写真プリントシステム１は、インターネット３を利用して写真プリントの注文を受け付け、写真プリントの作成及び配達を行うシステムであり、図１に示すように、写真プリント発注者が操作するパソコン１０と、写真に関する専門知識を有する画像処理業者が操作する画像処理装置２０と、所定の配達エリアをそれぞれ有している複数の事業者が操作する複数の事業者端末３０と、写真プリントを専門に行うプリント業者が操作するプリント業者端末５０と、サーバ７０とを備えている。そして、パソコン１０、画像処理装置２０、事業者端末３０、及びプリント業者端末５０は、いずれもインターネット３を介してサーバ７０と通信可能に接続されている。
【００１５】
なお、本実施の形態では、所定の配達エリアを有する事業者として、新聞販売店、コンビニエンスストア、及び酒屋の３業種を例に挙げて説明するが、これらは一例であり、例えば、米屋、牛乳屋等、既存の配達システムを有する事業者であればどのような業種の事業者を幾つ含んでいてもよい。また、図１では、新聞販売店、コンビニエンスストア、及び酒屋がそれぞれ１店舗ずつ記載されているが、写真プリントシステム１には、配達エリアの異なる複数の事業者の店舗に設置された複数の事業者端末３０が設けられている。
【００１６】
ここで、上述の新聞販売店等の事業者の配達エリアについて説明する。本実施の形態では、かかる事業者のうち、同種事業者同士の配達エリアは、重複することなく分布していることが想定できる。一方、異種事業者同士の配達エリアは、その全て又は一部が互いに重複している地域が存在していることとする。すなわち、本実施の形態のように、３業種の事業者を考えている場合には、ある特定の住所を配達エリアに含んでいる事業者は、１つ、２つ、又は３つ存在することとなる。
【００１７】
また、プリント業者とは、発注者が注文することができるあらゆるサイズのプリントを作成するための多種類の用紙やアルバム仕上げ用の台紙やシールプリント用のプリント媒体等を常に、在庫切れになることがない程度に取り揃えており、全てのプリント仕様の写真プリントを作成することができる写真店を考えている。そして、図１では、写真店は１店舗のみ記載されているが、写真プリントシステム１には、本プリントシステムに参加している複数の写真店の店舗に設置された複数のプリント業者端末５０が設けられている。
【００１８】
さらに、パソコン１０についても、図１では１台だけ記載されているが、写真プリントシステム１には、全国各地の写真プリント発注者のインターネット３に接続されたパソコン１０が多数設けられている。
【００１９】
パソコン１０には、ＣＰＵ、ＲＯＭ、ＲＡＭ、ハードディスク等のハードウェアが収納されており、ハードディスクには各種のソフトウェアが記憶されている。そして、これらのハードウェアおよびソフトウェアが組み合わされることによって、パソコン１０が機能している。また、パソコン１０には、図２に示すように、パソコン１０に関する各種情報を表示するディスプレイ１５と、パソコン１０に対して指示を入力するためのキーボード１６及びマウス１７と、ＣＤ−ＲＯＭ、ＦＤ、ＭＯ等の各種メディアに記録された画像データファイルを読み出すメディアドライブ１８と、インターネット３に接続するための通信インターフェース１９とが接続されている。
【００２０】
したがって、パソコン１０を操作する写真プリント発注者は、発注者情報（具体的には、自身の氏名、仕上がった写真プリントの配達先住所、配達先電話番号等）、写真プリントシステム１に含まれる複数業種の事業者のうちから写真プリントの作成及び配達を依頼する事業者として選択した事業者の選択情報、メディアドライブ１８によって読み出された画像データファイルのうちプリントを希望する画像データファイル、当該画像データファイルに係るサムネイル画像データファイル、当該画像データファイルに係る画像のプリント仕様情報（具体的には、プリントサイズ、アルバム仕上げ、シールプリント等）、及び当該選択した事業者が販売している商品の購入情報等をインターネット３を介してサーバ７０にアップロードすることができる。
【００２１】
画像処理装置２０は、例えば汎用のパソコンであって、ＣＰＵ、ＲＯＭ、ＲＡＭ、ハードディスク等のハードウェアが収納されており、ハードディスクには当該パソコンを画像処理装置２０として機能させるためのプログラムを含む各種のソフトウェアが記憶されている。そして、これらのハードウェアおよびソフトウェアが組み合わされることによって、後述する補正値算出部２１（図３参照）が構成されている。また、画像処理装置２０には、図３に示すように、画像処理装置２０に関する各種情報を表示するディスプレイ２５と、画像処理装置２０に対して指示を入力するためのキーボード２６及びマウス２７と、インターネット３に接続するための通信インターフェース２９とが接続されている。
【００２２】
したがって、画像処理装置２０は、パソコン１０からサーバ７０にアップロードされた画像データファイルに係るサムネイル画像データファイルをダウンロードすると共に、当該サムネイル画像データファイルに係る画像をディスプレイ２５に表示する。画像処理装置２０を操作する画像処理業者は、ディスプレイ２５に表示された画像を観察し、キーボード２６及びマウス２７を用いて、当該画像の色濃度、シャープネス、コントラスト、彩度等を補正するための操作入力を行う。そして、補正値算出部２１が、画像処理業者の操作入力に従って、当該サムネイル画像データファイルに係る適切な補正値を算出する。さらに、画像処理装置２０は、補正値算出部２１によって算出された補正値を、インターネット３を介してサーバ７０にアップロードする。
【００２３】
事業者端末３０は、図４に示すように、互いに接続されておりデータの送受信が可能な汎用のパソコン４０とプリンタ３１とで構成されている。パソコン４０には、ＣＰＵ、ＲＯＭ、ＲＡＭ、ハードディスク等のハードウェアが収納されており、ハードディスクにはパソコン４０を機能させるためのプログラムを含む各種のソフトウェアが記憶されている。そして、これらのハードウェアおよびソフトウェアが組み合わされることによって、後述する発注情報記憶部４１、顧客情報記憶部４２、検索部４３、プリント不能信号生成部４４、及びプリント完了信号生成部４５が構成されている。また、パソコン４０には、図４に示すように、各種情報を表示するディスプレイ４６と、事業者端末３０に対して指示を入力するためのキーボード４７及びマウス４８と、インターネット３に接続するための通信インターフェース４９とが接続されている。
【００２４】
したがって、パソコン４０は、発注者のパソコン１０からサーバ７０にアップロードされた発注情報、すなわち発注者情報や画像データファイル等を取得し、発注情報記憶部４１に記憶する。そして、プリンタ３１が、発注情報記憶部４１に記憶されている画像データファイルに基づいて、写真プリントを作成する。
【００２５】
検索部４３は、顧客情報記憶部４２に記憶されている事業者の顧客の氏名や住所等のデータベースの中から発注者を検索する。また、サーバ７０から取得した発注情報に含まれている商品の購入情報や配達先住所情報等は、ディスプレイ４６に表示される。そして、検索部４３によってデータベースの中から発注者が検出された場合、すなわち、写真プリントの発注者が事業者の顧客である場合には、その旨もディスプレイ４６に表示される。発注者が検出されなかった場合は、プリント注文の顧客として、サーバ７０から取得した発注者情報がデータベースに登録される。なお、ディスプレイ４６に表示される内容は、プリンタ３１や別途設けられた印字専用のプリンタによってプリントされてもよい。
【００２６】
プリント不能信号生成部４４は、サーバ７０から取得した発注情報に含まれるプリント仕様でプリントすることができないプリント不能画像データファイルが存在する場合に、プリント不能信号を生成する。そして、プリント不能信号は、サーバ７０に送信される。具体的には、例えば、２Ｌサイズでプリントする画像データファイルを受信した際に、２Ｌサイズのプリントを作成するための用紙が在庫切れである場合に、事業者端末４０のオペレータが用紙切れである旨をキーボード４７またはマウス４８を用いて入力する。このとき、プリント不能信号生成部４４によって、２Ｌサイズでプリントする画像データファイルをプリント不能画像データファイルとして特定するプリント不能信号が生成される。プリント完了信号生成部４５は、サーバ７０から受信した全ての画像データファイルのプリントが完了した場合に、プリント完了信号を生成する。そして、プリント完了信号は、サーバ７０に送信される。
【００２７】
プリント業者端末５０は、事業者端末４０の顧客情報記憶部４２、検索部４３、及びプリント不能信号生成部４４に対応する機能を有していない点を除けば、事業者端末４０とほぼ同様の構成を有しているので説明は省略する。
【００２８】
サーバ７０には、ＣＰＵ、ＲＯＭ、ＲＡＭ、ハードディスク等のハードウェアが収納されており、ハードディスクにはサーバ７０を機能させるためのプログラムを含む各種のソフトウェアが記憶されている。そして、これらのハードウェアおよびソフトウェアが組み合わされることによって、後述するウェブファイル記憶部７１、事業者情報記憶部７２、発注情報記憶部７３、サムネイル生成部７４、補正部７６、発注先抽出部７７、発注先選択部７８、受注信号生成部７９、及び発注準備完了信号生成部８０（図５参照）が構築されている。また、サーバ７０には、図５に示すように、インターネット３に接続するための通信インターフェース８９が接続されている。
【００２９】
ウェブファイル記憶部７１には、サーバ７０にアクセスしてきたクライアントパソコンに対して、写真プリントサービスのコンテンツを提供するために、ＨＴＭＬファイルなどの多数のウェブファイルが格納されている。したがって、サーバ７０は、インターネット３を介してサーバ７０にアクセス可能であるパソコン１０に対してオンラインプリント注文を受け付けるためのＷｅｂサイトを提供することができる。
【００３０】
事業者情報記憶部７２には、写真プリントシステム１に写真プリントの作成及び配達を行う事業者として登録している複数業種の事業者の情報が記憶されている。具体的には、事業者の名称、業種、住所、電話番号、営業時間、定休日等の基礎的な情報に加えて、作成可能な写真プリントのプリント仕様、配達エリア、販売している商品の販売情報、配達予定日時に関する情報等が記憶されている。なお、事業者情報記憶部７２の記憶内容を書き換えることによって、事業者の登録／抹消を行うことができる。
【００３１】
ここで、配達予定日時に関する情報とは、発注者が注文を行った時間帯及び曜日から配達予定日時を決定することができる情報である。配達予定日時の決定方法としては、例えば、事業者の営業時間及び定休日に基づいて行われる。具体的には、定休日の前日の営業時間終了後に注文が行われた場合には、定休日の翌日を配達予定日とする。
【００３２】
発注情報記憶部７３には、パソコン１０からアップロードされた発注情報、すなわち、発注者情報、画像データファイル、サムネイル画像データファイル、当該画像データファイルに係る画像のプリント仕様情報、選択された事業者の選択情報、発注者が写真プリントの作成及び配達を依頼する事業者が販売している商品の購入情報等が記憶される。
【００３３】
サムネイル生成部７４は、パソコン１０からアップロードされた画像に関する情報にサムネイル画像データファイルが含まれていない場合に、当該画像に係るサムネイル画像データファイルを生成する。補正部７６は、画像処理装置２０から送信された補正値を用いて、発注情報記憶部７３に記憶されている画像データファイルに対して補正処理を施す。
【００３４】
発注先抽出部７７は、写真プリントシステム１に登録されている複数の事業者の中から、発注情報記憶部７３に記憶される配達先住所を配達エリアとする事業者を抽出し、発注先リストを生成する。なお、このとき、事業者情報記憶部７２に記憶されている複数の事業者の中から、１つ、２つ、又は３つの事業者が抽出される。例えば、新聞販売店については和歌山市北部エリア、コンビニエンスストアについては和歌山市梅原エリア、酒屋については和歌山市梅原国道２６号線付近エリア等が配達エリアとして存在し、特定の住所を配達エリアに含む事業者がピックアップされる。また、発注先リストに含まれる事業者数は、発注先抽出部７７によって抽出された事業者数、すなわち配達先住所を配達エリアに含んでいる事業者数を超えることはできない。抽出された全ての事業者が発注先リストに含まれるようにしてもよいし、抽出された事業者の中から抜粋された事業者のみが発注者リストに含まれるようにしてもよい。そして、発注先抽出部７７によって生成された発注先リストは、インターネット３を介してパソコン１０に送信される。
【００３５】
発注先選択部７８は、事業者端末３０からプリント不能信号を受信した際に、発注先抽出部７７によって抽出された事業者のうち、未だ発注情報を受信しておらず、且つプリント不能信号によって特定されたプリント不能画像データファイルに係るプリント仕様情報が事業者情報記憶部７２に記憶されている事業者、すなわち、当該プリント仕様で写真プリントを作成することができる事業者を選択する。
【００３６】
受注信号生成部７９は、発注者のパソコン１０から発注情報がアップロードされた際に、画像処理装置２０に対して、写真プリントを受注したことを報知するための受注信号を生成する。受注信号生成部７９で生成された受注信号は、インターネット３を介して画像処理装置２０に送信される。
【００３７】
発注準備完了信号生成部８０は、補正部７６による補正処理が終了した際に、事業者端末３０に対して、写真プリントを発注する準備が完了したことを報知するための発注準備完了信号を生成する。このとき生成された発注準備完了信号は、発注者によって選択された事業者の事業者端末３０に送信される。また、発注準備完了信号生成部８０は、事業者端末３０からのプリント不能信号を受信した際に、発注準備完了信号を生成し、発注先選択部７８によって選択された事業者の事業者端末３０、または発注先選択部７８によって事業者が選択されなかった場合には、プリント業者端末５０に送信する。
【００３８】
ここで、本実施の形態の写真プリントシステム１において、写真プリントを作成する手順について説明する。まず、パソコン１０における処理手順を示すフローチャートである図６を用いて、パソコン１０を用いて写真プリントの発注を行う際の手順について説明する。
【００３９】
まず、写真プリントの発注者がパソコン１０を用いてサーバ７０にアクセスすると、オンラインプリント注文のＷｅｂサイトのトップページ（図示せず）がディスプレイ１５に表示される。さらに、プリントの注文を行うためのページにアクセスすると、メディアドライブ１８によってメディアから画像データファイルが読み出された後（ステップＳ１０１）、当該画像データファイルとサーバ７０から取得したウェブファイルとが合成され、図７に示すような注文画面９１がディスプレイ１５に表示される（ステップＳ１０２）。なお、本実施の形態では、図７に示すように、注文画面９１には６コマ分の画像が表示されることとする。このとき、発注者は、キーボード１６又はマウス１７を用いて各コマ画像に対してプリント枚数、及びプリントサイズ等のプリント仕様を入力する。
【００４０】
続いて、注文画面９１の確定ボタン９１ａが操作されたか否かが判断される（Ｓ１０３）。確定ボタン９１ａが操作されていないと判断された場合には（ステップＳ１０３：ＮＯ）、確定ボタン９１ａの操作が行われたと判断されるまで、ステップＳ１０３での判断が繰り返し行われる。一方、確定ボタン９１ａの操作が行われたと判断された場合には（ステップＳ１０３：ＹＥＳ）、未だ注文画面９１に表示されていない画像があるか否かが判断される（ステップＳ１０４）。
【００４１】
未だ注文画面９１に表示されていない画像があると判断された場合には（ステップＳ１０４：ＹＥＳ）、ステップＳ１０１に戻って、再びメディアからの画像データファイルの読み出しが行われる。一方、全ての画像が注文画面９１に表示されたと判断された場合には（ステップＳ１０４：ＮＯ）、図８に示すような発注者情報入力画面９２がディスプレイ１５に表示される（ステップＳ１０５）。本実施の形態では、発注者情報入力画面９２において、図８に示すように、発注者氏名、配達先住所、及び配達先電話番号を発注者情報として入力するようになっているが、あらかじめ会員登録されている場合には、ＩＤやパスワード等を入力するようにしてもよい。
【００４２】
そして、発注者情報入力画面９２の確定ボタン９２ａが操作されたか否かが判断される（ステップＳ１０６）。確定ボタン９２ａが操作されていないと判断された場合には（ステップＳ１０６：ＮＯ）、確定ボタン９２ａの操作が行われたと判断されるまで、ステップＳ１０６での判断が繰り返し行われる。一方、確定ボタン９２ａの操作が行われたと判断された場合には（ステップＳ１０６：ＹＥＳ）、発注者情報入力画面９２で入力された発注者情報がサーバ７０に送信される（ステップＳ１０７）。
【００４３】
続いて、サーバ７０から発注先リストを受信したか否かが判断される（ステップＳ１０８）。リストを受信していないと判断された場合には（ステップＳ１０８：ＮＯ）、リストを受信したと判断されるまで、ステップＳ１０８での判断が繰り返し行われる。一方、リストを受信したと判断された場合には（ステップＳ１０８：ＹＥＳ）、図９に示すような、発注先選択画面９３が表示される（ステップＳ１０９）。
【００４４】
図９に示すように、発注先選択画面９３には、事業者の名称、及び現在の日時と当該事業者の営業時間・定休日とから予想される配達予定日時が表示される。したがって、発注者は、配達予定日時を知ることができる。ここで、図９の発注先選択画面９３には、新聞販売店、コンビニエンスストア、及び酒屋の３つの事業者が表示されているので、発注者は、これら３つの事業者のうちから写真プリントの作成及び配達を依頼する事業者として１つの事業者を選択した後、確定ボタン９３ａを操作する。なお、事業者が１つしか表示されていない場合には、発注者は、その表示されている事業者にプリントを依頼することとなる。
【００４５】
そして、発注者選択画面９３の確定ボタン９３ａが操作されたか否かが判断される（ステップＳ１１０）。確定ボタン９３ａが操作されていないと判断された場合には（ステップＳ１１０：ＮＯ）、確定ボタン９３ａの操作が行われたと判断されるまで、ステップＳ１１０での判断が繰り返し行われる。一方、確定ボタン９３ａの操作が行われたと判断された場合には（ステップＳ１１０：ＹＥＳ）、発注先選択画面９３で選択された事業者の選択情報が、サーバ７０に送信される（ステップＳ１１１）。
【００４６】
その後、発注先の事業者の販売情報を受信したか否かが判断される（ステップＳ１１２）。販売情報を受信していないと判断された場合には（ステップＳ１１２：ＮＯ）、販売情報を受信したと判断されるまでステップＳ１１２での判断が繰り返し行われる。一方、販売情報を受信したと判断された場合には（ステップＳ１１２：ＹＥＳ）、図１０に示すような商品選択画面９４が表示される（ステップＳ１１３）。
【００４７】
このとき、発注者は、商品選択画面９４に表示されている商品の中から、写真プリントと一緒に配達を希望する商品を選択することができる。続いて、商品選択画面９４の確定ボタン９４ａが操作されたか否かが判断される（ステップＳ１１４）。確定ボタン９４ａが操作されていないと判断された場合には（ステップＳ１１４：ＮＯ）、確定ボタン９４ａの操作が行われたと判断されるまで、ステップＳ１１４での判断が繰り返し行われる。一方、確定ボタン９４ａの操作が行われたと判断された場合には（ステップＳ１１４：ＹＥＳ）、画像データファイル、当該画像データファイルのプリント仕様情報、及び発注先の事業者が販売している商品の購入情報等の発注情報をサーバ７０に送信する（ステップＳ１１５）。
【００４８】
次に、サーバ７０のパソコン１０とのやり取りを示すフローチャートである図１１を用いて、サーバ７０における写真プリントの発注が行われる際の手順について説明する。
【００４９】
まず、パソコン１０からのアクセスに対応して、ウェブファイル記憶部７１に記憶されているウェブファイルをパソコン１０に送信する。そして、パソコン１０から送信された発注者情報を受信したか否かが判断される（ステップＳ２０１）。発注者情報を受信していないと判断された場合には（ステップＳ２０１：ＮＯ）、発注者情報を受信したと判断されるまで、ステップＳ２０１での判断が繰り返し行われる。一方、発注者情報を受信したと判断された場合には（ステップＳ２０１：ＹＥＳ）、発注先抽出部７７によって発注業者が抽出されると共に発注先リストが生成される（ステップＳ２０２）。そして、ステップＳ２０２で生成された発注先リストが、パソコン１０に送信される（ステップＳ２０３）。
【００５０】
さらに、パソコン１０から送信された発注者が選択した事業者の選択情報を受信したか否かが判断される（ステップＳ２０４）。選択情報を受信していないと判断された場合には（ステップＳ２０４：ＮＯ）、選択情報を受信したと判断されるまでステップＳ２０４での判断が繰り返し行われる。一方、選択情報を受信したと判断された場合には（ステップＳ２０４：ＹＥＳ）、発注者によって選択された事業者の販売情報がパソコン１０に送信される（ステップＳ２０５。）
【００５１】
その後、パソコン１０から送信された発注情報を受信したか否かが判断される（ステップＳ２０６）。発注情報を受信していないと判断された場合には（ステップＳ２０６：ＮＯ）、発注情報を受信したと判断されるまで、ステップＳ２０６での判断が繰り返し行われる。一方、発注情報を受信したと判断された場合には（ステップＳ２０６：ＹＥＳ）、受信した発注情報が発注情報記憶部７３に記憶される（ステップＳ２０７）。
【００５２】
続いて、サーバ７０の画像処理装置２０とのやり取りを示すフローチャートである図１２を用いて、サーバ７０において補正処理を行う際の手順について説明する。
【００５３】
まず、発注情報記憶部７３に記憶されている画像に関する情報にサムネイル画像データファイルが含まれているか否かが判断される（ステップＳ３０１）。サムネイル画像データファイルが含まれている場合には（ステップＳ３０１：ＹＥＳ）、後述するステップＳ３０２での処理を省略して、ステップＳ３０３に進む。一方、サムネイル画像データファイルが含まれていない場合には、サムネイル生成部７４が発注情報記憶部７３に記憶されている画像データファイルに係るサムネイル画像データファイルを生成する（ステップＳ３０２）。さらに、受注信号生成部７９によって受注信号が生成され（ステップＳ３０３）、インターネット３を介して画像処理装置２０に送信される（ステップＳ３０４）。
【００５４】
その後、画像処理装置２０から補正値（後述のＳ４０５で算出される）を受信したか否かが判断される（ステップＳ３０５）。補正値を受信していないと判断された場合には（ステップＳ３０５：ＮＯ）、補正値を受信したと判断されるまで、ステップＳ３０５での判断が繰り返し行われる。一方、補正値を受信したと判断された場合には（ステップＳ３０５：ＹＥＳ）、補正部７６が、受信した補正値を用いて発注情報記憶部７３に記憶されている画像データファイルに対して補正処理を行う（ステップＳ３０６）。
【００５５】
ここで、画像処理装置２０における処理手順を示すフローチャートである図１３を用いて、補正値を算出する際の手順について説明する。
【００５６】
まず、サーバ７０から送信された受注信号を受信したか否かが判断される（ステップＳ４０１）。受注信号を受信していないと判断された場合には（ステップＳ４０１：ＮＯ）、受注信号を受信したと判断するまで、ステップＳ４０１での判断が繰り返し行われる。一方、受注信号を受信したと判断された場合には（ステップＳ４０１：ＹＥＳ）、サーバ７０にアクセスし、発注情報記憶部７３に記憶されているサムネイル画像データファイルをダウンロードする（ステップＳ４０２）。そして、ディスプレイ２５に、ステップＳ４０２で取得したサムネイル画像データファイルに係るサムネイル画像が表示される（ステップＳ４０３）。
【００５７】
このとき、ディスプレイ２５に表示されたサムネイル画像を観察している画像処理業者は、キーボード２６またはマウス２７を用いて、画像処理装置２０に対して操作入力を行うことができる。したがって、画像処理業者によって操作入力が行われたか否かが判断される（ステップＳ４０４）。操作入力が行われていないと判断された場合には（ステップＳ４０４：ＮＯ）、操作入力が行われたと判断されるまで、ステップＳ４０４での判断が繰り返し行われる。
【００５８】
一方、操作入力が行われたと判断された場合には（ステップＳ４０４：ＹＥＳ）、補正値算出部２１によって、ディスプレイ２５に表示されているサムネイル画像の適切な補正値が算出される（ステップＳ４０５）。その後、ステップＳ４０５で算出された補正値は、サーバ７０に送信される（ステップＳ４０６）。
【００５９】
続いて、サーバ７０の事業者端末３０とのやり取りを示すフローチャートである図１４を用いて、サーバ７０における事業者に写真プリントの発注を行う際の手順について説明する。
【００６０】
まず、上述のサーバ７０において補正処理を行う際の手順のステップＳ３０６で、補正部７６による補正処理が終了した後、発注準備完了信号生成部７９によって発注準備完了信号が生成され、発注者がプリントの作成及び配達を依頼する事業者の事業者端末３０に送信される（ステップＳ５０１）。続いて、ステップＳ５０１において発注準備完了信号を送信した事業者端末３０からのプリント完了信号を受信したか否かが判断される（ステップＳ５０２）。
【００６１】
プリント完了信号を受信していないと判断された場合には（ステップＳ５０２：ＮＯ）、ステップＳ５０１において発注準備完了信号を送信した事業者端末３０からのプリント不能信号を受信したか否かが判断される（ステップＳ５０３）。プリント不能信号を受信していないと判断された場合には（ステップＳ５０３：ＮＯ）、ステップＳ５０２に戻って、プリント完了信号を受信したか否かの判断が繰り返し行われる。一方、プリント不能信号を受信したと判断された場合には（ステップＳ５０３：ＹＥＳ）、発注先選択部７８によって、発注先抽出部７７で抽出された事業者のうち、未だ発注情報を受信しておらず、且つプリント不能画像データファイルに係るプリント仕様で写真プリント作成することができる事業者が選択される（ステップＳ５０４）。
【００６２】
その後、ステップＳ５０１に戻って、再び発注準備完了信号が生成される。このとき生成された発注準備完了信号は、ステップＳ５０４において選択された事業者の事業者端末３０、または、ステップＳ５０４において事業者が選択されなかった場合、すなわちプリント不能画像データファイルをプリントすることができる事業者がなかった場合には、プリント業者端末５０に送信される。
【００６３】
また、ステップＳ５０２において、プリント完了信号を受信したと判断された場合には（ステップＳ５０２：ＹＥＳ）、サーバ７０の事業者端末３０とのやり取りが完了する。
【００６４】
さらに、事業者端末３０における処理手順を示すフローチャートである図１５を用いて、写真プリントを作成する際の手順について説明する。
【００６５】
まず、パソコン４０において、サーバ７０から送信された発注準備完了信号を受信したか否かが判断される（ステップＳ６０１）。信号を受信していないと判断された場合には（ステップＳ６０１：ＮＯ）、信号を受信したと判断されるまで、ステップＳ６０１での判断が繰り返し行われる。一方、信号を受信したと判断された場合には（ステップＳ６０１：ＹＥＳ）、サーバ７０にアクセスし、発注情報記憶部７３に記憶されている発注情報を取得する（ステップＳ６０２）。なお、ステップＳ６０１で受信した発注準備完了信号が、サーバ７０の事業者端末３０とのやり取りの処理におけるステップＳ５０３でプリント不能信号を受信した後に生成された発注準備完了信号である場合には、発注情報記憶部７３に記憶されている発注情報のうち、プリント不能画像データファイルに対応するファイル、当該ファイルに係るプリント仕様情報、及び発注者情報を取得する。その後、ステップＳ６０２でダウンロードされた発注情報は、発注情報記憶部４１に記憶される（ステップＳ６０３）。
【００６６】
続いて、検索部４３が、顧客情報記憶部４２に記憶されているデータベースの中から発注者を検索する（ステップＳ６０４）。さらに、ディスプレイ４６に、図１６に示すような発注状況報知画面９５が表示される（ステップＳ６０５）。図１６に示すように、発注状況報知画面９５には、発注情報記憶部４１に記憶された発注者情報や発注者が発注したプリント枚数や商品の購入情報等が表示される。また、ステップＳ６０４において、データベースの中から発注者が検出された場合には、例えば、データベース中で割り振られている顧客ナンバー等が発注状況報知画面９５に表示され（図１６においては、発注者氏名の右横に表示されている）、発注者が顧客であることが示される。ステップＳ６０４における検索の結果、発注者が検出されなかった場合には、プリント注文の顧客として、サーバ７０から受信した発注者情報がデータベースに登録される。
【００６７】
その後、発注情報記憶部４１に記憶されている画像データファイル及び当該画像データファイルのプリント仕様、プリント枚数等の情報がプリンタ３１に送信され、プリンタ３１において写真プリントが作成される（ステップＳ６０６）。そして、プリンタ３１におけるプリント処理が完了したか否かの判断が行われる（ステップＳ６０７）。
【００６８】
プリント処理が完了していないと判断された場合には（ステップＳ６０７：ＮＯ）、続いてプリント不能画像データファイルがあるか否かが判断される（ステップＳ６０８）。プリント不能画像データファイルが存在しない場合には（ステップＳ６０８：ＮＯ）、ステップＳ６０７に戻って、プリント処理が完了したか否かの判断が繰り返し行われる。一方、プリント不能画像データファイルが存在する場合には（ステップＳ６０８：ＹＥＳ）、プリント不能信号生成部４４によってプリント不能信号が生成され、サーバ７０に送信される（ステップＳ６０９）。なお、このとき、発注状況報知画面９５に表示されている写真プリントのプリント枚数、及びその代金が、プリントできた（プリント不能画像データファイルに対応するものを除いた）写真プリントの枚数、及びその代金に変更される。
【００６９】
また、ステップＳ６０７において、プリント処理が完了したと判断された場合には（ステップＳ６０７：ＹＥＳ）、プリント完了信号生成部４５によってプリント完了信号が生成され、サーバ７０に送信される（ステップＳ６１０）。
【００７０】
なお、プリント業者端末５０における処理手順は、ステップＳ６０４（発注者の検索）、Ｓ６０５（発注状況報知画面の表示）、Ｓ６０８（プリント不能画像データファイルの存否の判断）、及びＳ６０９（プリント不能信号の生成・送信）の処理がない点を除けば、上述の事業者端末３０における処理手順とほぼ同様であるので、説明は省略する。
【００７１】
上述のような手順で作成された写真プリントは、購入商品と共に、写真プリントを作成した事業者によって配達先住所まで配達される。発注者が事業者と定期配送契約を結んでいる顧客である場合には、契約している商品と共に写真プリントの配達を行う。また、発注者が写真プリントの作成を依頼する事業者として選択した事業者の事業者端末４０でプリントすることができなかったプリント不能画像データファイルであり、発注者が選択した事業者とは別の事業者の事業者端末４０でプリントされた写真プリントは、当該事業者によって配達される。また、プリント業者端末５０でプリントされた写真プリントは、配達専門の業者によって配達される。
【００７２】
以上のように、本実施の形態の写真プリントシステム１では、複数の写真プリント発注者が操作する複数のパソコン１０と、所定の配達エリアをそれぞれ有する複数の事業者が操作する複数の事業者端末３０とが、インターネット３を介してサーバ７０と通信可能である。サーバ７０は、パソコン１０から送信された配達先住所を配達エリアに含んでいる事業者として発注先抽出部７７が複数の事業者の中から抽出した１つ、２つ、又は３つの事業者に関する事業者情報を発注者のパソコン１０に送信する。パソコン１０は、発注者がプリントを希望する画像データファイル、当該画像データファイルのプリント仕様情報、及び発注先抽出部７７が複数の事業者を抽出した場合には当該複数の事業者の中から発注者が選択した事業者の選択情報等をサーバ７０に送信する。そして、発注先抽出部７７が１つの事業者を抽出した場合には、その抽出された事業者の事業者端末３０が、発注先抽出部７７が複数の事業者を抽出した場合には、発注者が選択した事業者の事業者端末３０が、サーバ７０から発注情報を受信する。さらに、発注情報を受信した事業者端末３０において、受信した発注情報に含まれるプリント仕様でプリントすることができないプリント不能画像データファイルが存在する際に、当該事業者端末３０が、プリント不能信号をサーバ７０に送信する。そして、サーバ７０は、発注先抽出部７７が抽出した複数の事業者端末３０のうち、未だ発注情報を受信していない事業者端末３０が存在する場合に、当該事業者端末３０にプリント不能画像データファイル、当該ファイルに係るプリント仕様情報、及び発注者情報を送信する。したがって、発注者は、配達先住所を配達エリアに含んでおり、その地域に密着している事業者に写真プリントの作成及び配達を依頼することとなるので、安心して写真プリントを発注することができる。また、発注者が希望するプリント仕様でプリントするためのプリント媒体が在庫切れである等の理由によりプリントを作成することができないプリント不能画像データファイルが存在する場合でも、当該プリント不能画像データファイルは、配達先住所を配達エリアに含んでいる他の事業者端末３０に送信される。よって、プリントの作成及び配達を迅速に行うことができる。
【００７３】
また、本実施の形態の写真プリントシステム１は、インターネット３を介してサーバ７０と通信可能であり、全てのプリント仕様の写真プリントを作成することができる写真店の事業所に設置されたプリント業者端末５０をさらに備えている。そして、サーバ７０は、配達先住所を配達エリアに含んでいる事業者の事業者端末３０のうち、未だ発注情報を受信していない事業者端末３０が存在しない場合に、プリント業者端末５０にプリント不能画像データファイル、当該ファイルに係るプリント仕様情報、及び発注者情報を送信する。したがって、配達先住所を配達エリアに含んでいる全ての事業者でプリントすることができないプリント仕様のプリント不能画像データファイルが存在する場合でも、プリント業者端末５０でプリントすることができる。
【００７４】
さらに、本実施の形態の写真プリントシステム１では、サーバ７０の事業者情報記憶部７２が、複数の事業者ごとに当該事業者が作成することができる写真プリントのプリント仕様を記憶している。そして、サーバ７０は、配達先住所を配達エリアに含んでいる事業者の事業者端末３０のうち、未だ発注情報を受信しておらず、且つプリント不能画像データファイルに係るプリント仕様が事業者情報記憶部７２に記憶されている事業者端末３０にプリント不能画像データファイル、当該ファイルに係るプリント仕様情報、及び発注者情報を送信してもよい。したがって、サーバ７０から送信されるプリント不能画像データファイルに係るプリント仕様でプリントすることができる事業者の事業者端末３０にのみプリント不能画像データファイル等が送信される。したがって、サーバ７０が無駄にプリント不能画像データファイルを送信することがないので、サーバ７０の負担を軽減することができる。
【００７５】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、全てのプリント仕様の写真プリントを作成することができるプリント業者の事業所に設置されたプリント業者端末５０を備えている場合について説明したが、プリント業者端末５０はなくてもよい。また、例えば、画像処理業者がプリント業者を兼ねており、同一事業所内に画像処理装置２０とプリント業者端末５０とが設置されていてもよい。
【００７６】
また、上述の実施の形態では、サーバ７０の事業者情報記憶部７２が、複数の事業者ごとに当該事業者が作成することができる写真プリントのプリント仕様に関する情報を記憶している場合について説明したが、プリント仕様に関する情報は記憶されていなくてもよい。
【００７７】
また、上述の実施の形態では、サーバ７０が、パソコン１０から送信された画像データファイルを補正する補正部７６を有している場合について説明したが、これには限られない。例えば、事業者端末３０が補正部を備えていてもよい。
【００７８】
さらに、上述の実施の形態では、サーバ７０が、写真プリントの発注時に、発注された写真プリントの作成及び配達を行う事業者が販売している商品の販売情報を発注者のパソコン１０に送信すると共に、パソコン１０からの購入情報を受信し、当該購入情報を当該事業者端末３０に送信する場合について説明したが、これには限られない。サーバ７０と発注者のパソコン１０との間の販売情報のやり取りや、サーバ７０と事業者端末３０との間の購入情報のやり取りは行われなくてもよい。
【００７９】
また、上述の実施の形態では、サーバ７０が、パソコン１０、画像処理装置２０、事業者端末３０、及びプリント業者端末５０から独立している場合について説明したが、これには限られない。例えば、サーバ７０の機能の一部または全てをプリント業者端末５０と一体として構成してもよい。
【００８０】
加えて、上述の実施の形態では、発注者のパソコン１０と、画像処理装置２０と、事業者端末３０と、プリント業者端末５０とが、インターネット３を介してサーバ７０と通信可能である場合について説明したが、これには限られない。パソコン１０、画像処理装置２０、事業者端末３０、及びプリント業者端末５０が、インターネット３を経由せず、別の通信ネットワークを経由してサーバ７０と通信を行うようにしてもよい。また、２つ以上の通信ネットワークを経由してサーバ７０と通信を行うようにしてもよい。
【００８１】
また、上述の実施の形態では、画像処理装置２０がインターネット３に接続されている場合について説明したが、これには限られない。例えば、インターネット３に接続されたパソコンと、パソコンに接続された画像処理装置２０とから画像処理業者端末が構成され、画像処理装置２０が、パソコンを介して、サーバ７０からのサムネイル画像データファイルの取得や、サーバ７０への補正値の送信を行うようにしてもよい。また、例えば、インターネット３に接続されたパソコンと、パソコンに接続されていない画像処理装置２０とから画像処理業者端末が構成されていてもよい。この場合、パソコンが取得したサムネイル画像データファイルをメディアに記録し、画像処理装置２０は当該メディアからサムネイル画像データファイルを読み出して補正値を算出する。そして、算出された補正値をメディアに記録し、パソコンは当該メディアから補正値を読み出してサーバ７０に送信する。
【００８２】
加えて、上述の実施の形態では、事業者端末３０が、インターネット３に接続されたパソコン４０と、パソコン４０に接続されたプリンタ３１とで構成されている場合について説明したが、これには限られない。例えば、プリンタ３１がパソコン４０に接続されておらず、パソコン４０がサーバ７０から画像データファイル等を取得すると共に、取得した画像データファイルをメディアに記録し、プリンタ５１が当該メディアから画像データファイルを読み出してプリント処理を行うようにしてもよい。また、事業者端末３０とほぼ同様の構成を有するプリント業者端末５０についても同様である。
【図面の簡単な説明】
【００８３】
【図１】本発明の実施の形態に係る写真プリントシステムの概略構成を示す図である。
【図２】図１に示すパソコンの概略構成を示すブロック図である。
【図３】図１に示す画像処理装置の概略構成を示すブロック図である。
【図４】図１に示す事業者端末の概略構成を示すブロック図である。
【図５】図１に示すサーバの概略構成を示すブロック図である。
【図６】図１に示すパソコンにおける処理手順を示すフローチャートである。
【図７】図２に示すディスプレイに表示される注文画面を示す図である。
【図８】図２に示すディスプレイに表示される発注者情報入力画面を示す図である。
【図９】図２に示すディスプレイに表示される発注先選択画面を示す図である。
【図１０】図２に示すディスプレイに表示される商品選択画面を示す図である。
【図１１】図１に示すサーバのパソコンとのやり取りを示すフローチャートである。
【図１２】図１に示すサーバの画像処理装置とのやり取りを示すフローチャートである。
【図１３】図１に示す画像処理装置における処理手順を示すフローチャートである。
【図１４】図１に示すサーバの事業者端末とのやり取りを示すフローチャートである。
【図１５】図１に示す事業者端末における処理手順を示すフローチャートである。
【図１６】図４に示すディスプレイに表示される発注状況報知画面を示す図である。
【符号の説明】
【００８４】
１  写真プリントシステム
３  インターネット（通信ネットワーク）
１０  パソコン（発注者端末）
３０  事業者端末
５０  プリント業者端末
７０  サーバ
７２  事業者情報記憶部（プリント仕様記憶手段）
７６  補正部（補正手段）
７７  発注先抽出部
７８  発注先選択部
【図１】
0004688656.tif 000002
【図２】
0004688656.tif 000003
【図３】
0004688656.tif 000004
【図４】
0004688656.tif 000005
【図５】
0004688656.tif 000006
【図６】
0004688656.tif 000007
【図７】
0004688656.tif 000008
【図８】
0004688656.tif 000009
【図９】
0004688656.tif 000010
【図１０】
0004688656.tif 000011
【図１１】
0004688656.tif 000012
【図１２】
0004688656.tif 000013
【図１３】
0004688656.tif 000014
【図１４】
0004688656.tif 000015
【図１５】
0004688656.tif 000016
【図１６】
0004688656.tif 000017